(57)【要約】【課題】  給排水の配管や電気の配線などを洗面室と浴室とで共用し易く且つ洗面室の空間を有効利用し易いように洗面化粧台が設置されたサニタリールーム。【解決手段】  洗面化粧台（１）が設置された洗面室（Ｒ１）と浴槽（１１）が設置された浴室（Ｒ２）とを備えたサニタリールーム。洗面室と浴室との間には、ドア障子（２１）が取り付けられたドア枠（２２）と、このドア枠の設置面においてドア枠と隣接して配置された壁枠（２３）とが設けられている。洗面化粧台は、その後側面が壁枠の浴室側の壁面（２４）にほぼ当接するように埋込み配置されている。【選択図】  図２
2006006819.tif 000002
【特許請求の範囲】
【請求項１】
洗面化粧台が設置された洗面室と浴槽が設置された浴室とを備えたサニタリールームにおいて、
前記洗面室と前記浴室との間には、ドア障子が取り付けられたドア枠と、該ドア枠の設置面において前記ドア枠と隣接して配置された壁枠とが設けられ、
前記洗面化粧台は、その後側面が前記壁枠の浴室側の壁面にほぼ当接するように埋込み配置されていることを特徴とするサニタリールーム。
【請求項２】
前記洗面化粧台は、前記壁枠の浴室側の壁面を介して前記浴室内の浴室カウンターと隣接するように位置決めされていることを特徴とする請求項１に記載のサニタリールーム。
【発明の詳細な説明】
【技術分野】
【０００１】
本発明は、サニタリールームに関し、特にサニタリールームにおける洗面化粧台の設置に関するものである。
【背景技術】
【０００２】
洗面化粧台が設置された洗面室と浴槽が設置された浴室とからなる空間は、「サニタリールーム」と呼ばれている。従来、サニタリールームにおいて、洗面化粧台は浴室ドアから間隔を隔てた壁面に沿って設置されることが多い。
【発明の開示】
【発明が解決しようとする課題】
【０００３】
図６に示すように、洗面化粧台１００が浴室ドア１０１から間隔を隔てた壁面Ｗ１に沿って設置される場合、洗面化粧台１００と浴槽１０２や浴室カウンター１０３との距離が比較的大きくなる。その結果、給排水の配管や電気の配線などが洗面室と浴室とで別系統にならざるを得ないという不都合があった。
【０００４】
また、給排水の配管や電気の配線などを洗面室と浴室とで共用し易くするために、図７に示すように洗面化粧台１００を浴室側の壁Ｗ２に沿って設置すると、洗面化粧台１００に対向して設置された洗濯機１０４との間隔が狭くなり易い。その結果、洗濯機１０４が邪魔になって洗面化粧台１００での洗顔などが困難になり、ひいては洗面室の空間を有効利用することが困難になるという不都合があった。
【０００５】
本発明は、前述の課題に鑑みてなされたものであり、給排水の配管や電気の配線などを洗面室と浴室とで共用し易く且つ洗面室の空間を有効利用し易いように洗面化粧台が設置されたサニタリールームを提供することを目的とする。
【課題を解決するための手段】
【０００６】
前記課題を解決するために、本発明では、洗面化粧台が設置された洗面室と浴槽が設置された浴室とを備えたサニタリールームにおいて、
前記洗面室と前記浴室との間には、ドア障子が取り付けられたドア枠と、該ドア枠の設置面において前記ドア枠と隣接して配置された壁枠とが設けられ、
前記洗面化粧台は、その後側面が前記壁枠の浴室側の壁面にほぼ当接するように埋込み配置されていることを特徴とするサニタリールームを提供する。
【０００７】
本発明の好ましい態様によれば、前記洗面化粧台は、前記壁枠の浴室側の壁面を介して前記浴室内の浴室カウンターと隣接するように位置決めされている。
【発明の効果】
【０００８】
本発明では、洗面化粧台が設置された洗面室と浴槽が設置された浴室との間に、ドア障子が取り付けられたドア枠と、ドア枠と隣接して配置された壁枠とが設けられている。そして、洗面化粧台は、その後側面が壁枠の浴室側の壁面にほぼ当接するように埋込み配置されている。したがって、壁枠の奥行き分だけ、洗面室において洗面化粧台と対向する空間を有効利用することができる。
【０００９】
その結果、たとえば洗面化粧台に対向して洗濯機を設置しても、洗濯機が邪魔になることなく、洗面化粧台での洗顔などを容易に行うことができる。また、洗面化粧台が浴室側の壁面に沿って設置されるので、給排水の配管や電気の配線などを浴室から分岐させて洗面室と浴室とで共用することが容易になる。すなわち、本発明のサニタリールームでは、給排水の配管や電気の配線などを洗面室と浴室とで共用し易く且つ洗面室の空間を有効利用し易いように洗面化粧台が設置されている。
【００１０】
なお、本発明では、洗面化粧台が壁枠の浴室側の壁面を介して浴室内の浴室カウンターと隣接するように位置決めされていることが好ましい。この構成により、浴槽と浴室カウンターと洗面化粧台とが壁面に沿って互いに近接して配置されるので、給排水の配管や電気の配線などを浴室から分岐させて洗面室と浴室とで共用することがさらに容易になる。
【発明を実施するための最良の形態】
【００１１】
本発明の実施形態を、添付図面に基づいて説明する。
図１は、本発明の実施形態にかかるサニタリールームの要部構成を概略的に示す斜視図である。また、図２は、本実施形態にかかるサニタリールームの平面図である。また、図３は、本実施形態のサニタリールームにおいて洗面化粧台を設置する前の状態を概略的に示す斜視図である。
【００１２】
図１および図２を参照すると、本実施形態のサニタリールームは、洗面化粧台１が設置された洗面室Ｒ１と浴槽１１が設置された浴室Ｒ２とにより構成されている。洗面室Ｒ１と浴室Ｒ２との間には、比較的奥行き寸法の大きいドア枠２２と、ドア枠２２の設置面においてドア枠２２と隣接して配置された壁枠２３とが設けられている。ここで、壁枠２３は、ドア枠２２とほぼ同じ奥行き寸法を有する。
【００１３】
なお、ドア枠２２には、片開きの浴室ドアとしてのドア障子２１が取り付けられている。一方、壁枠２３の浴室側には、壁２４が設けられている。本実施形態では、洗面化粧台１は、その後側面が壁枠２３の浴室側の壁面２４にほぼ当接するように埋込み配置されている。また、洗面室Ｒ１において、洗面化粧台１に対向する位置には洗濯機２が壁面に沿って設置されている。
【００１４】
さらに、洗面化粧台１は、壁枠２３の浴室側の壁面２４を介して、浴室内の浴室カウンター１２と隣接するように位置決めされている。浴室カウンター１２の下側には、吐水ヘッド１３が設けられている。一方、浴室カウンター１２の斜め上方には、シャワーヘッド１４が設けられている。すなわち、洗面化粧台１と浴室カウンター１２と浴槽１１とが、壁面２５に沿って互いに近接して配置されている。
【００１５】
また、図３を参照すると、洗面化粧台１を設置すべき床領域３０から、給水配管（常温水を供給する配管および温水を供給する配管）３１、および排水配管３２が上方へ延びている。また、洗面化粧台１の照明のための電気配線３３が、対応する天井部分から下方へ延びている。なお、所定位置に設置された洗面化粧台１と給水配管３１および排水配管３２との位置関係は、図４に示す通りである。
【００１６】
以上のように、本実施形態では、洗面化粧台１の後側面が壁枠２３の浴室側の壁面２４にほぼ当接するように埋込み配置されているので、壁枠２３の奥行き分だけ洗面室Ｒ１において洗面化粧台１と対向する空間を有効利用することができる。その結果、図５に示すように、洗面化粧台１に対向して設置された洗濯機２が邪魔になることなく、洗面化粧台１での洗顔などを容易に行うことができる。
【００１７】
特に、本実施形態では、浴槽１１と浴室カウンター１２と洗面化粧台１とが壁面２５に沿って互いに近接して配置されているので、洗面化粧台１の給排水の配管（３１，３２）や電気の配線３３などを浴室Ｒ２から分岐させて洗面室Ｒ１と浴室Ｒ２とで共用することができる。その結果、図２に示すように洗面室Ｒ１および浴室Ｒ２への配管・配線系統３４を簡素化することにより、配管工事や配線工事などの施工性が向上し、ひいてはユーザーへの引渡し期間の短縮を図ることができる。
【００１８】
なお、上述の実施形態では、洗面化粧台１が、壁枠２３の浴室側の壁面２４を介して、浴室内の浴室カウンター１２と隣接するように位置決めされている。しかしながら、これに限定されることなく、洗面化粧台１が、壁枠２３の浴室側の壁面２４を介して、浴室内の浴槽１１と隣接するように位置決めする変形例も可能である。
【図面の簡単な説明】
【００１９】
【図１】本発明の実施形態にかかるサニタリールームの要部構成を概略的に示す斜視図である。
【図２】本実施形態にかかるサニタリールームの平面図である。
【図３】本実施形態のサニタリールームにおいて洗面化粧台を設置する前の状態を概略的に示す斜視図である。
【図４】所定位置に設置された洗面化粧台と給水配管および排水配管との位置関係を概略的に示す図である。
【図５】本実施形態において洗面化粧台の後方の空間を有効利用できることを説明する図である。
【図６】従来技術において給排水の配管や電気の配線が洗面室と浴室とで別系統になる理由を説明する図である。
【図７】従来技術において洗面室の空間を有効利用することが困難になる理由を説明する図である。
【符号の説明】
【００２０】
Ｒ１  洗面室
Ｒ２  浴室
１  洗面化粧台
２  洗濯機
１１  浴槽
１２  浴室カウンター
１３  吐水ヘッド
１４  シャワーヘッド
２１  ドア障子
２２  ドア枠
２３  壁枠
２４，２５  壁
３１  給水配管
３２  排水配管
３３  電気配線
【図１】
2006006819.tif 000003
【図２】
2006006819.tif 000004
【図３】
2006006819.tif 000005
【図４】
2006006819.tif 000006
【図５】
2006006819.tif 000007
【図６】
2006006819.tif 000008
【図７】
2006006819.tif 000009